(57)【要約】【課題】コピー内容の参照・編集を、コピー先のアプリケーション画面で簡単に行えるようにすること。【解決手段】情報の参照及び編集が可能な表示画面を各々出力する、複数のアプリケーションを同時に実行するタスク実行部１３１と、一のアプリケーションが出力する第１の表示画面に、情報の種別にそれぞれ対応した複数のタブ表示を含む種別タブを表示する種別タブ表示部１３２と、他の一のアプリケーションが出力する第２の表示画面に表示された情報に対して、コピー操作がなされたときに、該情報をメモリに保存するコピー情報保存部１３３と、メモリに保存された情報の種別を判別する種別判定部１３４と、判別した種別に対応するタブ表示を点滅させる点滅始動部１３５と、点滅中のタブ表示に対して選択操作がなされたときに、メモリに保存された情報に関連する情報を第１の表示画面に表示する関連情報表示部１３６とを備える。【選択図】図１
2014134950.tif 000002
【特許請求の範囲】
【請求項１】
情報の参照及び編集が可能な表示画面を各々出力する、複数のアプリケーションを同時に実行するタスク実行部と、
一の前記アプリケーションが出力する第１の表示画面に、情報の種別にそれぞれ対応した複数のタブ表示を含む種別タブを表示する種別タブ表示部と、
他の一の前記アプリケーションが出力する第２の表示画面に表示された情報に対して、コピー操作がなされたときに、該情報をメモリに保存するコピー情報保存部と、
前記メモリに保存された前記情報の種別を判別する種別判定部と、
前記判別した種別に対応する前記タブ表示を点滅させる点滅始動部と、
前記点滅中の前記タブ表示に対して選択操作がなされたときに、前記メモリに保存された前記情報に関連する情報を前記第１の表示画面に表示する関連情報表示部と
を備える携帯端末装置。
【請求項２】
前記前記第１の表示画面に表示される前記情報に関連する情報は、前記メモリに保存された前記情報であるか、若しくは、該情報のリンク先である
請求項１に記載の携帯端末装置。
【請求項３】
前記種別タブに含まれ、前記保存した情報の種別を示す前記タブ表示の種類として、前記保存した情報の種別が「ＵＲＬ」であることを示す表示、前記保存した情報の種別が「住所」であることを示す表示、及び前記保存した情報の種別が「メモ」であることを示す表示を有する
請求項１又は２に記載の携帯端末装置。
【請求項４】
前記保存した情報が「ｈｔｔｐ」で始まる文字列を含んでいる場合に、該情報の種別を「ＵＲＬ」であるものと判定し、または、前記保存した情報に地図データベースに存在する地域名と一致する文字列が含まれている場合に、該情報の種別を「住所」であるものと判定し、若しくは前記保存した情報が前記のいずれの種別とも判定できない文字列である場合に、該情報の種別を「メモ」であるものと判定する
請求項３に記載の携帯端末装置。
【請求項５】
前記第１の表示画面が参照可能でない場合に、前記コピー操作がなされたときには、前記判別した種別に対応する前記タブ表示に対応した点滅未動作フラグを前記コピー操作の対象である情報に付加してメモリに保存する点滅未動作フラグ付きコピー情報保存部と、
前記第１の表示画面が参照可能となったときに、前記メモリに保存されている前記情報に前記点滅未動作フラグが付加されている場合は、前記メモリに保存された前記情報の種別に対応する前記タブ表示を点滅させる点滅未動作フラグ付加時点滅始動部と
を備える請求項１から４のいずれか一項に記載の携帯端末装置。
【請求項６】
情報の参照及び編集が可能な表示画面を各々出力する、複数のアプリケーションを同時に実行するタスク実行段階と、
一の前記アプリケーションが出力する第１の表示画面に、情報の種別にそれぞれ対応した複数のタブ表示を含む種別タブを表示する種別タブ表示段階と、
他の一の前記アプリケーションが出力する第２の表示画面に表示された情報に対して、コピー操作がなされたときに、該情報をメモリに保存するコピー情報保存段階と、
前記メモリに保存された前記情報の種別を判別する種別判定段階と、
前記判別した種別に対応する前記タブ表示を点滅させる点滅始動段階と、
前記点滅中の前記タブ表示に対して選択操作がなされたときに、前記メモリに保存された前記情報に関連する情報を前記第１の表示画面に表示する関連情報表示段階と
を備える情報の表示方法。
【請求項７】
コンピュータを、
情報の参照及び編集が可能な表示画面を各々出力する、複数のアプリケーションを同時に実行するタスク実行部、
一の前記アプリケーションが出力する第１の表示画面に、情報の種別にそれぞれ対応した複数のタブ表示を含む種別タブを表示する種別タブ表示部、
他の一の前記アプリケーションが出力する第２の表示画面に表示された情報に対して、コピー操作がなされたときに、該情報をメモリに保存するコピー情報保存部、
前記メモリに保存された前記情報の種別を判別する種別判定部、
前記判別した種別に対応する前記タブ表示を点滅させる点滅始動部、
前記点滅中の前記タブ表示に対して選択操作がなされたときに、前記メモリに保存された前記情報に関連する情報を前記第１の表示画面に表示する関連情報表示部
として機能させるプログラム。
【請求項８】
コンピュータを、
情報の参照及び編集が可能な表示画面を各々出力する、複数のアプリケーションを同時に実行するタスク実行部、
一の前記アプリケーションが出力する第１の表示画面に、情報の種別にそれぞれ対応した複数のタブ表示を含む種別タブを表示する種別タブ表示部、
他の一の前記アプリケーションが出力する第２の表示画面に表示された情報に対して、コピー操作がなされたときに、該情報をメモリに保存するコピー情報保存部、
前記メモリに保存された前記情報の種別を判別する種別判定部、
前記判別した種別に対応する前記タブ表示を点滅させる点滅始動部、
前記点滅中の前記タブ表示に対して選択操作がなされたときに、前記メモリに保存された前記情報に関連する情報を前記第１の表示画面に表示する関連情報表示部
として機能させるプログラムを記憶した記録媒体。
【発明の詳細な説明】
【技術分野】
【０００１】
本発明は、携帯端末装置、情報の表示方法、プログラム及び記録媒体に関する。
【背景技術】
【０００２】
携帯端末装置では、実行中の或るアプリケーション・ソフトウェア（以下、単に「アプリケーション」と略称する）を用いて、ユーザが何らかのコピー操作を行った際、該ユーザは、コピーした後の情報（コピー内容）の利用に不便を強いられていた。例えば、ユーザは、コピーした内容を閲覧し、編集できるアプリケーションを選択して起動し、貼り付け操作を行う必要があった。
【０００３】
即ち、携帯端末装置のユーザは、コピー内容を閲覧できるようになるまでに、予め定められた順序でもって幾つかの定められた手続きを実行する必要があった。また、携帯端末装置のユーザがコピー先での画面を閲覧する際には、コピー元のアプリケーションを裏タスクに移動させる必要があり、コピー先の画面とコピー元の画面とを同時に閲覧することができなかった。
【０００４】
このような背景に関連する技術としては、様々なものが知られている（例えば、特許文献１〜４参照。）。
【０００５】
例えば、特許文献１には、ユーザに分かり易い簡略な操作でデータ転送動作を行える新規なユーザインターフェイスが開示されている。具体的には、或るアプリケーションに対応する一つのＵＩ画面において、特定のアイテムの実行に関連してコピーしたデータを、予め定めたコピーデータアイコンで表示する。また、ユーザは、当該コピーデータアイコンをデータ転送用アイコンに対してペースト操作する。次に、他のＵＩ画面において、ユーザの操作に応じて、当該画面上のデータ転送用アイコンから、ペーストされたデータを、他の特定のアイテムの実行に関連して利用できるように取り出す。
【０００６】
また、例えば、特許文献２には、コピー＆ペースト操作を、間違いなく、かつ非常に簡易に実行できるようにする技術が開示されている。具体的には、１回の特定操作で、過去に選択指示（コピー指示）したデータがコンテキスト依存メニュー内で表示されるようにする。また、ユーザが、そのときの画面上の作業領域の近辺で過去のコピー内容を確認できるようにする。さらに、ユーザが、当該データを選択することで貼付（ペースト）操作が実行できるようにし、これにより、非常に簡易に、かつ間違いなくペーストできるようにする。なお、記憶部に順次記憶されたデータのうちで、最新のコピーデータを、コンテキスト依存メニュー内の先頭項目として表示させる。
【０００７】
また、例えば、特許文献３には、画像形成装置の操作パネルの表示画面上に複数のアプリケーションを選択するためのボタン（選択キー）を表示しているため、追加できるアプリケーション選択キーの数が限定的であった点を改善する技術を開示している。具体的には、画像形成装置に、外部ネットワークからＩ／Ｆ部を介した入力手段によりプログラムが入力されるのに応答して、既に画像形成装置に登録されたプログラムに対応する選択キーを表示する第１表示画面を設ける。また、該表示画面に、上記入力手段より入力されたプログラムを選択指示するための選択キーを、さらに表示することが可能か否かを判断し、判断結果に応じて表示画面の表示処理を制御する。
【０００８】
また、例えば、特許文献４には、共有記憶領域を利用したデータ複製におけるセキュリティ保護の向上を意図した技術が開示されている。具体的には、情報処理装置上で、１以上のアプリケーションが動作し、コピー元アプリケーションが汎用共有メモリへのコピーを指令したコピーデータを取得する。また、該コピーデータに対し、入力装置を介した操作パターンから解釈されるライフタイムを設定して、記憶領域に保存するコピー操作監視部を備える。また、上記記憶領域に保存されるコピーデータの中から選択されたペースト候補を表示装置に表示する表示部を備える。また、入力装置を介した確定操作に対応して、記憶領域から読み込んだペースト候補をペースト先アプリケーションへ渡すペースト操作監視部を備える。さらに、ライフタイムが切れて残存が許容されなくなったデータを記憶領域から消去する消去部を備える。
【先行技術文献】
【特許文献】
【０００９】
【特許文献１】特許第４３０１５５３号公報
【特許文献２】特開２００６−３３８４５８号公報
【特許文献３】特開２０１１−１９９９０７号公報
【特許文献４】特開２０１２−１３３６２０号公報
【発明の概要】
【発明が解決しようとする課題】
【００１０】
特許文献１に記載の装置のような、一つのＵＩ画面において、特定のアイテムの実行に関連してコピーしたデータを、予め定めたコピーデータアイコンで表示し、その後に参照できるようにする技術は、コピーデータを利用させる有効な手段である。しかしながら、必ずしも改善すべき点が皆無の便利な手段とは限らない。
【００１１】
実際、上述したような技術においては、ユーザが、ブラウザ等の閲覧中に、文章や住所等をコピーしたとき、コピーした内容を閲覧し、編集できるようにするアプリケーションを、ユーザ操作で起動し、貼り付け操作を行う必要がある。
【００１２】
本発明の目的は、上述した課題を解決する携帯端末装置、情報の表示方法、プログラム及び記録媒体を提供することにある。
【課題を解決するための手段】
【００１３】
上記課題を解決するために、本発明の第１の形態によると、携帯端末装置であって、情報の参照及び入力が可能な表示画面を各々出力する、複数のアプリケーションを同時に実行するタスク実行部と、一のアプリケーションが出力する第１の表示画面に、情報の種別にそれぞれ対応した複数のタブ表示を含む種別タブを表示する種別タブ表示部と、他の一のアプリケーションが出力する第２の表示画面に表示された情報に対して、コピー操作がなされたときに、該情報をメモリに保存するコピー情報保存部と、メモリに保存された情報の種別を判別する種別判定部と、判別した種別に対応するタブ表示を点滅させる点滅始動部と、点滅中のタブ表示に対して選択操作がなされたときに、メモリに保存された情報に関連する情報を第１の表示画面に表示する関連情報表示部とを備える。
【００１４】
本発明の第２の形態によると、情報の表示方法であって、情報の参照及び編集が可能な表示画面を各々出力する、複数のアプリケーションを同時に実行するタスク実行段階と、一のアプリケーションが出力する第１の表示画面に、情報の種別にそれぞれ対応した複数のタブ表示を含む種別タブを表示する種別タブ表示段階と、他の一のアプリケーションが出力する第２の表示画面に表示された情報に対して、コピー操作がなされたときに、該情報をメモリに保存するコピー情報保存段階と、メモリに保存された情報の種別を判別する種別判定段階と、判別した種別に対応するタブ表示を点滅させる点滅始動段階と、点滅中のタブ表示に対して選択操作がなされたときに、メモリに保存された情報に関連する情報を第１の表示画面に表示する関連情報表示段階とを有する。
【００１５】
本発明の第３の形態によると、プログラムであって、コンピュータを、情報の参照及び入力が可能な表示画面を各々出力する、複数のアプリケーションを同時に実行するタスク実行部、一のアプリケーションが出力する第１の表示画面に、情報の種別にそれぞれ対応した複数のタブ表示を含む種別タブを表示する種別タブ表示部、他の一のアプリケーションが出力する第２の表示画面に表示された情報に対して、コピー操作がなされたときに、該情報をメモリに保存するコピー情報保存部、メモリに保存された情報の種別を判別する種別判定部、判別した種別に対応するタブ表示を点滅させる点滅始動部と、点滅中のタブ表示に対して選択操作がなされたときに、メモリに保存された情報に関連する情報を第１の表示画面に表示する関連情報表示部として機能させる。
【００１６】
本発明の第４の形態によると、記憶媒体であって、コンピュータを、情報の参照及び入力が可能な表示画面を各々出力する、複数のアプリケーションを同時に実行するタスク実行部、一のアプリケーションが出力する第１の表示画面に、情報の種別にそれぞれ対応した複数のタブ表示を含む種別タブを表示する種別タブ表示部、他の一のアプリケーションが出力する第２の表示画面に表示された情報に対して、コピー操作がなされたときに、該情報をメモリに保存するコピー情報保存部、メモリに保存された情報の種別を判別する種別判定部、判別した種別に対応するタブ表示を点滅させる点滅始動部と、点滅中のタブ表示に対して選択操作がなされたときに、メモリに保存された情報に関連する情報を第１の表示画面に表示する関連情報表示部として機能させるプログラムを記憶した。
【００１７】
なおまた、上記の発明の概要は、本発明の必要な特徴の全てを列挙したものではない。
【発明の効果】
【００１８】
以上の説明から明らかなように、この発明によっては、或るアプリケーションが出力する画面上の情報をユーザがコピーすると、コピーされた情報が保存されると共に、該保存された情報またはその関連情報の参照や編集を、コピー先である他のアプリケーションが出力する画面上で簡単に行うことができる。
【図面の簡単な説明】
【００１９】
【図１】本発明の実施形態に係る携帯端末装置の全体構成を示す構成図である。
【図２】本発明の実施形態に係る携帯端末装置の一例としての表示画面を示す説明図である。
【図３】本発明の実施形態に係る携帯端末装置の一例としての表示内容を示す説明図である。
【図４】本発明の実施形態に係る携帯端末装置の一例としてのタブ点滅動作の手順を示すフローチャート図である。
【図５】本発明の実施形態に係る携帯端末装置でタッチパネル部１４のメモタブが選択された場合の処理手順を示すフローチャート図である。
【図６】本発明の実施形態に係る携帯端末装置でタッチパネル部１４のブラウザタブが選択された場合の処理手順を示すフローチャート図である。
【図７】本発明の実施形態に係る携帯端末装置でタッチパネル部１４のマップタブが選択された場合の処理手順を示すフローチャート図である。
【図８】本発明の他の実施形態に係る携帯端末装置で、折り畳みが閉状態でコピー操作が行われたときの処理手順の一例を示すフローチャート図である。
【図９】本発明の他の実施形態に係る携帯端末装置で、折り畳みを開状態にしてコピー操作が行われる場合の処理手順の一例を示すフローチャート図である。
【発明を実施するための形態】
【００２０】
以下、発明の実施の形態について、順に図面を参照して詳細に説明する。
【００２１】
図１は、本発明の実施形態に係る携帯端末装置の全体構成を示す構成図である。同図において、本実施形態の携帯端末装置は、アンテナ１１、無線部１２、制御部１３、タッチパネル部１４、メモリ１５、及び表示部１６を備える。制御部１３は、論理的な構成要素として、タスク実行部１３１、種別タブ表示部１３２、コピー情報保存部１３３、種別判定部１３４、点滅始動部１３５、及び関連情報表示部１３６、を備える。
【００２２】
以下、本実施形態に係る携帯端末装置の全体的な構成要素の機能を説明する。アンテナ１１は、無線ネットワークを介し、通信メッセージに対応した信号波を送受信する。無線部１２は、送受信信号と内部コード情報との変換を行って制御部１３と受渡しすると共に、アンテナ１１との間で送受信信号を受渡しする。制御部１３は、装置全体を制御すると共に内部コード情報の処理を行う。タッチパネル部１４は、ユーザ操作によるデータ入力を受け付けて入力データとして出力する。表示部１６は、２画面のディスプレイ（後述）での表示動作を制御する。
【００２３】
以下、本実施形態に係る携帯端末装置の制御部１３が備える論理的な構成要素（必須の構成要素）の機能を説明する。タスク実行部１３１は、表示画面を各々出力する複数のアプリケーション（例えば、図３に示す統合アプリ３２とアプリＡ（３１））を同時に実行する。種別タブ表示部１３２は、統合アプリ３２が出力する表示エリア３４（図３）に、情報の種別に各々対応した複数のタブを含む種別タブ３３（図３）を表示部１６を介して表示する。
【００２４】
コピー情報保存部１３３は、アプリＡ（３１）が出力する第２の表示画面に表示された情報に対して、コピー操作がなされたときに、該情報をメモリ１５に保存する。種別判定部１３４は、メモリ１５に保存された上記情報の種別を判別する。点滅始動部１３５は、該判別した種別に対応する種別タブ３３のタブ表示（図３参照、以下、単に「タブ」と略称する）を点滅させる。関連情報表示部１３６は、点滅中のタブに対して選択操作がなされたときに、メモリ１５に保存した情報に関連する情報を表示エリア３４に表示する。
【００２５】
図２は、本発明の実施形態に係る携帯端末装置の一例としての表示画面を示す説明図である。同図に示す本実施形態に係る携帯端末装置は、２画面を表示する２画面携帯電話端末２１である。即ち、２画面携帯電話端末２１の表示画面は、２つであり、表示部１６は、該２つの画面を同時に表示する制御を実行する。また、２画面携帯電話端末２１は、ここでは、２つのアプリケーションを同時に制御して表示することができる携帯電話端末とする。例えば、２画面携帯電話端末２１は、図２に示すディスプレイＡ（２２）に一方のアプリケーションの情報を表示し、ディスプレイＢ（２２）に他方のアプリケーションの情報を表示することが可能である。
【００２６】
図３は、本発明の実施形態に係る携帯端末装置の一例としての表示内容を示す説明図である。同図に示すように、２画面携帯電話端末２１は、ブラウザやメモ、地図等のデータを纏めて表示することが可能である。なお、図３に示すアプリＡ（３１）及び統合アプリ３２は、それぞれアプリケーションである。ここでは、２画面携帯電話端末２１は、図３に示すような画面表示の下に実行される統合アプリ３２を有するものとする。
【００２７】
より具体的には、ここでは、２画面携帯電話端末２１が実行する統合アプリ３２は、各データを種別毎に表示することを可能にする種別タブ３３（ブラウザタブ）と、各種データを表示する表示エリア３４とから構成される画面を共に表示する。２画面携帯電話端末２１のユーザは、この種別タブ３３及び表示エリア３４内の表示情報を参照して、２画面のアプリケーションを実行する。なお、以下では、ユーザが操作するタッチパネル部１４は、表示部１６が表示するディスプレイＢ（２３）に表示されているものとする。
【００２８】
本実施形態に係る２画面携帯電話端末２１は、或る所定のアプリケーション（例えば、統合アプリ３２）の起動の下で、ユーザがコピー操作を行った際、当該コピー内容の情報の種別（属性、カテゴリー等）を判断する。そして、該コピー情報の表示に際しては、該種別に対応した所定のタブを点滅させる。また、ユーザが、該点滅しているタブを選択操作することで、コピー内容、若しくはそのリンク先を直ぐに閲覧できるようにする。
【００２９】
より具体的には、統合アプリ３２の起動中に、ユーザがタッチパネル部１４を操作して、表示されているアプリＡ（３１）の情報に対してコピー操作を行うと、制御部１３では、メモリ１５に、該コピー操作によりコピーされた内容を保存する。但し、ここでは、表示部１６の制御対象として、ディスプレイＡ（２２）にアプリＡ（３１）の情報を表示していることを前提としている。その後、制御部１３は、上記保存したコピー内容の属性情報として、その種別を判別する（この種別の判別方法については後述する）。
【００３０】
さらに、制御部１３は、この判別結果により、メモリ１５に保存したコピー内容がメモである場合は、表示部１６を介して、種別タブ３３の内、種別３３の１つとして表示されているメモタブを一定時間だけ点滅させる。そうではなくて、メモリ１５に保存したコピー内容がＵＲＬである場合は、制御部１３は、表示部１６を介して、種別タブ３３の内、ブラウザタブを一定時間だけ点滅させる。また、そうではなくて、上記保存した内容が住所である場合は、制御部１３は、表示部１６を介して、種別タブ３３の内、マップタブを一定時間だけ点滅させる。なお、制御部１３は、上記保存したコピー内容が、上記のいずれにも該当しない場合は、そのまま処理を終了する。その後、ユーザが、該点滅しているタブを選択操作すると、制御部１３は、上記のコピー内容、若しくはそのリンク先を直ぐに閲覧できるように統合アプリ３２の表示エリア３４上に表示する。
【００３１】
以下、制御部１３が、上記のメモリ１５に保存したコピー内容について、その情報の種別を判別する方法について説明する。（１）制御部１３は、メモリ１５に保存した上記コピー内容が「ｈｔｔｐ」で始まる文字列を含んでいる場合は、該コピー内容の情報の種別をＵＲＬであるものと判定する。（２）制御部１３は、メモリ１５に保存した上記コピー内容に郵便番号が含まれているか、若しくは別途記憶されている地図データベース（例えば、世界の地域名が保存されていても良い）に存在する地域名と一致する文字列が含まれている場合は、該コピー内容の情報の種別を住所と判定する。（３）制御部１３は、メモリ１５に保存した上記コピー内容が、上記の（１）と（２）のいずれにも該当しない文字列である場合は、該コピー内容の情報の種別をメモと判定する。
【００３２】
図４は、本発明の実施形態に係る携帯端末装置の一例としてのタブ点滅動作の手順を示すフローチャート図である。以下、図１〜３を参照しながら、図４に示すフローチャートを使用して、本実施形態に係る携帯端末装置の一例としてのタブ点滅動作の手順を説明する。ここでは、表示部１６は、ディスプレイＡ（２２）にアプリＡ（３１）の情報を表示しているものとする。ユーザがタッチパネル部１４にてコピー操作を行う（Ｓ４０１）と、制御部１３では、メモリ１５（ここではクリップボード）に、上記コピー操作によりコピーされた内容を保存する（Ｓ４０２）。
【００３３】
制御部１３は、上記保存したコピー内容の情報の種別は何であるかを確認し（Ｓ４０３）、保存したコピー内容がメモである場合（ステップ４０３、メモ）、制御部１３はステップ４０４にて、表示部１６を介して、種別タブ３３の内、メモタブを一定時間だけ点滅させて処理を終了する。そうではなくて、上記保存した内容がＵＲＬである場合（ステップ４０３、ＵＲＬ）、制御部１３は、表示部１６を介して、種別タブ３３の内、ブラウザタブを一定時間だけ点滅させて処理を終了する。そうではなくて、上記保存した内容が住所である場合（ステップ４０３、住所）は、制御部１３は、表示部１６を介して、種別タブ３３の内、マップタブを一定時間だけ点滅させて処理を終了する。上記保存した内容が上記のいずれでもない場合は、そのまま処理を終了する。
【００３４】
図５は、本発明の実施形態に係る携帯端末装置でタッチパネル部１４のメモタブが選択された場合の処理手順を示すフローチャート図である。以下、図１〜４を参照しながら、図５に示すフローチャートを使用して、本実施形態に係る携帯端末装置でタッチパネル部１４のメモタブが選択された場合の処理手順を説明する。ここでも、表示部１６は、ディスプレイＡ（２２）にアプリＡ（３１）の情報を表示しているものとする。ユーザが、表示部１６が表示するディスプレイＢ（２３）に含まれている各種タブ３３の内、メモタブをタップしたとき（Ｓ５０１）、タッチパネル部１４は、制御部１３に、メモタブが選択されたことを通知する。
【００３５】
この通知を受けた制御部１３は、表示部１６でタップされたタブ（ここではメモタブ）が点滅中のタブであるか否かを確認する（Ｓ５０２）。該タブが点滅中のタブであれば、制御部１３は、メモリ１５に保存していたメモ（直前に保存したメモ）の内容を読み出す。その後、制御部１３は、メモアプリを起動し、上記該保存していたメモの内容を、表示部１６のディスプレイＢ（２３）に表示している統合アプリ３２の表示エリア３４に表示する（Ｓ５０３）。また、上記のタブが点滅していない場合は、制御部１３は、メモアプリを起動し、新規メモ作成画面として、表示部１６のディスプレイＢ（２３）で表示している統合アプリ３２の表示エリア３４に表示する（Ｓ５０４）。
【００３６】
図６は、本発明の実施形態に係る携帯端末装置でタッチパネル部１４のブラウザタブが選択された場合の処理手順を示すフローチャート図である。以下、図１〜４を参照しながら、図６に示すフローチャートを使用して、本実施形態に係る携帯端末装置でタッチパネル部１４のブラウザタブが選択された場合の処理手順を説明する。ここでも、表示部１６は、ディスプレイＡ（２２）にアプリＡ（３１）の情報を表示しているものとする。ユーザが、各種タブ３３の内、ブラウザタブをタップしたとき、制御部１３に対して、ブラウザタブが選択されたこと（即ちタップされたこと）を通知する（Ｓ６０１）。
【００３７】
この通知を受けた制御部１３は、上記のタップされたタブが点滅中であるか否かを確認する（Ｓ６０２）。該タブが点滅中であれば、制御部１３は、メモリ１５に保存していたＵＲＬ（直前に保存したＵＲＬ）を読み出す。その後、制御部１３は、ブラウザアプリを起動し、上記保存していたＵＲＬに対応するサイトを、表示部１６のディスプレイＢ（２３）に表示している統合アプリ３２の表示エリア３４に表示する（Ｓ６０３）。タブが点滅していない場合は、制御部１３は、ブラウザアプリを起動し、ホーム画面表示として、表示部１６のディスプレイＢ（２３）に表示している統合アプリ３２の表示エリア３４に表示する（Ｓ６０４）。
【００３８】
図７は、本発明の実施形態に係る携帯端末装置でタッチパネル部１４のマップタブが選択された場合の処理手順を示すフローチャート図である。以下、図１〜４を参照しながら、図７に示すフローチャートを使用して、本実施形態に係る携帯端末装置でタッチパネル部１４のマップタブが選択された場合の処理手順を説明する。ユーザが、各種タブ３３の内、マップタブをタップしたとき、制御部１３に対して、マップタブが選択されたこと（即ちタップされたこと）を通知する（Ｓ７０１）。
【００３９】
これを受けた制御部１３は、上記のタップされたタブが点滅中であるか否かを確認する（Ｓ７０２）。該タブが点滅中であれば、制御部１３は、メモリ１５に保存していた住所（直前に保存した住所）を読み出す。その後、制御部１３は、マップアプリを起動し、上記保存していた住所のマップを、表示部１６のディスプレイＢ（２３）に表示している統合アプリ３２の表示エリア３４に表示する（Ｓ７０３）。上記タブが点滅していない場合は、制御部１３は、マップアプリを起動し、前回表示した住所表示として、表示部１６のディスプレイＢ（２３）に表示している統合アプリ３２の表示エリア３４に表示する（Ｓ７０４）。
【００４０】
本実施形態に係る携帯端末装置によれば、ユーザがコピー操作を行った際、そのコピー内容の処理に適合したアプリケーションを自動で選定してユーザにその起動を促すことができる。ここで、ユーザが該アプリケーションを選択すると、自動的に該当アプリケーションの起動および貼り付け操作がなされる。よって、ユーザは、コピー内容をコピー先のアプリケーション画面で閲覧・編集することが簡単になるといった利便が得られる効果が有る。ちなみに、従前は、あるアプリケーションで、ユーザがコピー操作を行った際、該ユーザは、さらに、該コピーした内容を閲覧・編集できるアプリケーションを自分で選択して起動し、該コピーした内容の貼り付け操作を行う必要があった。
【００４１】
また、本実施形態に係る携帯端末装置によれば、２画面表示を可能にするので、コピー元のアプリケーションを、１つの表示画面で実行させながら、同時に上記コピー元からのコピー内容を他のアプリケーションの表示画面にて参照することが可能となる効果が有る。
【００４２】
（他の実施形態）：この実施形態に係る携帯端末装置の構成は、前述の実施形態に係る携帯端末装置の構成と同じである。また、この実施形態に係る携帯端末装置でも、前述の実施形態に係る携帯端末装置と同様に、ユーザがコピー操作を行ったときには、コピー内容またはコピー内容のリンク先を直ぐに閲覧・編集することを可能にする機能を有する。しかしながら、この実施形態では、２画面を有する携帯電話端末が折り畳み可能である場合にも、上記の機能を実現可能とするものである。また、この折り畳みが可能な携帯電話端末を使用する場合に、その表示画面が１画面しか表示されない場合であっても、上記機能と同様に、コピー内容のリンク先を直ぐに閲覧・編集することができるようにする。
【００４３】
図８は、本発明の他の実施形態に係る携帯端末装置で、折り畳みが閉状態でコピー操作が行われたときの処理手順の一例を示すフローチャート図である。以下、図１〜４を参照しながら、図８に示すフローチャートを使用して、この他の実施形態に係る携帯端末装置で、折り畳みが閉状態でコピー操作が行われたときの処理手順の一例を説明する。表示部１６のディスプレイＡ（２２）に、アプリＡ（３１）を表示しているとき、ユーザがタッチパネル部１４にてコピー操作を行う（Ｓ８０１）と、制御部１３は、コピーした内容をメモリ１５（ここではクリップボード）に保存する（Ｓ８０２）。
【００４４】
この後、制御部１３は、本携帯端末装置の状態を確認する（Ｓ８０３）。例えば図２に示す２画面携帯電話端末２１の状態が、閉状態であった場合は、タブの点滅動作を行うことができないため、点滅未動作フラグをメモリ１５に保存した内容に付加する（Ｓ８０４）。そうではなくて、本携帯端末装置の状態が開状態であった場合には、タブの点滅動作を行うことができるため、上述のステップＳ４０３に移って、ステップＳ４０３以下の一連の処理を実行する（Ｓ８０５）。
【００４５】
図９は、本発明の他の実施形態に係る携帯端末装置で、折り畳みを開状態にしてコピー操作が行われる場合の処理手順の一例を示すフローチャート図である。以下、図１〜４を参照しながら、図９に示すフローチャートを使用して、この他の実施形態に係る携帯端末装置で、折り畳みを開状態にしてコピー操作が行われる場合の処理手順の一例を説明する。ユーザが、２画面携帯電話端末２１の折り畳みを開状態にしたとき（Ｓ９０１）、制御部１３は、メモリ１５にアクセスし、保存内容に付加された上記点滅未動作フラグが有るか否かを確認する（Ｓ９０２）。
【００４６】
制御部１３は、上記の点滅未動作フラグが有る場合、フラグが付加されている保存内容をメモリ１５から読み出し、その後、ステップＳ４０３に移って、ステップＳ４０３以下の一連の処理を実行する（Ｓ９０３）。また、点滅未動作フラグがない場合は、制御部１３は、統合アプリ３２を起動し、表示部１６のディスプレイＢ（２３）に統合アプリ３２の初期画面を表示する（Ｓ９０４）。
【００４７】
この他の実施形態によれば、ユーザが、２画面携帯電話端末２１の折り畳みが閉状態のときにコピー操作を行ったとしても、該ユーザは、上述の実施形態と同様の利便を得ることができる。即ち、該ユーザは、該端末を開状態にした際に、上記コピー操作におけるコピー内容またはコピー内容のリンク先を簡単に閲覧・編集することができる。
【符号の説明】
【００４８】
１１  アンテナ
１２  無線部
１３  制御部
１４  タッチパネル部
１５  メモリ
１６  表示部
２１  ２画面携帯電話端末
２２  ディスプレイＡ
２３  ディスプレイＢ
３１  アプリＡ
３２  統合アプリ
３３  種別タブ
３４  表示エリア
１３１  タスク実行部
１３２  種別タブ表示部
１３３  コピー情報保存部
１３４  種別判定部
１３５  点滅始動部
１３６  関連情報表示部
【図１】
2014134950.tif 000003
【図２】
2014134950.tif 000004
【図３】
2014134950.tif 000005
【図４】
2014134950.tif 000006
【図５】
2014134950.tif 000007
【図６】
2014134950.tif 000008
【図７】
2014134950.tif 000009
【図８】
2014134950.tif 000010
【図９】
2014134950.tif 000011